(57)【特許請求の範囲】
【請求項１】
端末機本体と、
前記端末機本体に開閉可能に装着されるディスプレイユニットと、
前記端末機本体に形成される装着部に内蔵されるスピーカ及びアンテナと、
前記端末機本体に内蔵され、前記スピーカ及び前記アンテナに電気的に接続されるプリント基板とを含み、
前記アンテナは、フィード端子及びグラウンド端子を備え、その内部空間がスピーカの共鳴筒として使用され、
前記スピーカは、前記アンテナに直接装着され、前記プリント基板は、前記端末機本体の長手方向にギャップを形成するように、前記アンテナに装着された前記スピーカから前記長手方向に離隔するように配置され、
前記スピーカは、前記ギャップをまたぐ接続線により前記プリント基板に電気的に接続され、前記アンテナは、前記ギャップをまたぐ前記接続線とは異なる接続線により前記プリント基板に接続され、
前記装着部は、前記端末機本体の下端に前記端末機本体の厚さより厚く形成され、前記ディスプレイユニットは、前記装着部を覆わないように、前記端末機本体の長さより短く形成され、
前記装着部の上面は傾斜面からなり、前記傾斜面には前記スピーカから発生する音が放出される音放出孔が形成され、
前記プリント基板にはマイクが装着され、前記マイクに対応するマイク孔は前記端末機本体の前面に配置されることを特徴とする携帯端末機。
【請求項２】
前記装着部が前記端末機本体から上側方向に突出して形成されることを特徴とする請求項１に記載の携帯端末機。
【請求項３】
前記スピーカの後面に前記アンテナが装着され、前記スピーカの後面と前記アンテナの内部空間とが連通することを特徴とする請求項１に記載の携帯端末機。
【請求項４】
前記アンテナは、内部に空間を有する筒状に形成され、その一側に開口部が形成されることを特徴とする請求項１に記載の携帯端末機。
【請求項５】
前記スピーカが、前記端末機本体の幅方向に所定間隔をおいて装着される一対で構成されることを特徴とする請求項１に記載の携帯端末機。
【請求項６】
前記アンテナは、前記端末機本体の幅方向に装着され、２つの開口部が形成され、そのうち、一方の前記開口部が一方の前記スピーカに連結され、他方の前記開口部が他方の前記スピーカに連結されることを特徴とする請求項５に記載の携帯端末機。
【発明の詳細な説明】
【技術分野】
【０００１】
本発明はスピーカと内蔵アンテナを備えた携帯端末機に関し、より詳しくは、端末機をスリム化すると共にスピーカの音質を改善できる携帯端末機に関する。
【背景技術】
【０００２】
図７は従来の携帯端末機の斜視図であり、図８は従来の携帯端末機の分解斜視図である。
【０００３】
従来の携帯端末機は、情報を表示するディスプレイ１０４が装着されるディスプレイユニット１０２と、ディスプレイユニット１０２にヒンジ部１２０により回転可能に連結され、前面に情報を入力するためのキーパッド１１２が装着され、後面にバッテリ１１４が装着され、内部に各種回路部品が実装されるプリント基板（Ｐｒｉｎｔｅｄ  Ｃｉｒｃｕｉｔ  Ｂｏａｒｄ：ＰＣＢ）１０６が内蔵される端末機本体１１０と、端末機本体１１０に内蔵されて周波数を送受信する内蔵アンテナ１３０とから構成される。
【０００４】
ディスプレイユニット１０２には、サウンドを発生させる一対のスピーカ１３２が装着され、スピーカ１３２とスピーカ１３２との間には、音声情報を出力するレシーバ１３４が装着され、端末機本体１１０には、音声情報が入力されるマイク１３６が装着される。
【０００５】
内蔵アンテナ１３０は、端末機本体１１０のヒンジ部１２０に端末機本体の幅方向に装着され、端末機本体１１０の内部には、内蔵アンテナ１３０が収容されるアンテナ収容部１３８が形成される。
【発明の開示】
【発明が解決しようとする課題】
【０００６】
しかし、このように構成された従来の携帯端末機は、スピーカから出力される音量に共鳴効果を与える共鳴筒を確保するためには端末機が厚くなり、共鳴筒を縮小するとスピーカの音質が低下するという問題があった。
【０００７】
本発明は、このような従来技術の問題を解決するためになされたもので、アンテナの内部空間をスピーカの共鳴筒として使用することにより、端末機をスリム化すると共にスピーカの音質を向上できる携帯端末機を提供することを目的とする。
【課題を解決するための手段】
【０００８】
このような目的を達成するために、本発明による携帯端末機は、端末機本体と、前記端末機本体の内部に装着されてサウンドを発生させるスピーカと、前記端末機本体の内部に装着されて周波数を送受信し、その内部空間が前記スピーカの共鳴筒として使用されるアンテナとを含むことを特徴とする。
【０００９】
前記スピーカの後面には前記アンテナが装着され、前記スピーカの後面と前記アンテナの内部空間とが連通することを特徴とする。
【００１０】
前記アンテナは、内部に空間を有する筒状に形成され、その一側に開口部が形成されることを特徴とする。
【００１１】
前記スピーカは、プリント基板の上面に装着され、前記アンテナは、前記プリント基板の下面に装着され、前記プリント基板には、前記スピーカの後面と前記アンテナの内部空間とを連通させる通路が形成されることを特徴とする。
【００１２】
前記通路は、前記プリント基板に複数貫通形成されて、前記スピーカの後面と前記アンテナの内部空間とを連結することを特徴とする。
【００１３】
前記スピーカは、前記端末機本体の幅方向に所定間隔をおいて装着される一対で構成されることを特徴とする。
【００１４】
前記アンテナは、前記端末機本体の幅方向に装着され、２つの開口部が形成されて、一方の開口部は一方のスピーカに連結され、他方の開口部は他方のスピーカに連結されることを特徴とする。
【００１５】
また、本発明による携帯端末機は、端末機本体と、前記端末機本体に開閉可能に装着されるディスプレイユニットと、前記端末機本体に形成される装着部に内蔵されるスピーカ及びアンテナとを含み、前記アンテナは、その内部空間が前記スピーカの共鳴筒として使用されることを特徴とする。
【００１６】
上記目的を達成するために、本発明は、例えば、以下の手段を提供する。
（項目１）
端末機本体と、
上記端末機本体の内部に装着されてサウンドを発生させるスピーカと、
上記端末機本体の内部に装着されて信号を送受信し、その内部空間が上記スピーカの共鳴筒として使用されるアンテナと、
を含むことを特徴とする携帯端末機。
（項目２）
上記スピーカの後面に上記アンテナが装着され、上記スピーカの後面と上記アンテナの内部空間とが連通することを特徴とする項目１に記載の携帯端末機。
（項目３）
上記アンテナは、内部に空間を有する筒状に形成され、その一側に開口部が形成されることを特徴とする項目１に記載の携帯端末機。
（項目４）
上記スピーカがプリント基板の上面に装着され、上記アンテナが上記プリント基板の下面に装着され、上記プリント基板に上記スピーカの後面と上記アンテナの内部空間とを連通させる通路が形成されることを特徴とする項目１に記載の携帯端末機。
（項目５）
上記通路が、上記プリント基板に複数貫通形成されて、上記スピーカの後面と上記アンテナの内部空間とを連結することを特徴とする項目４に記載の携帯端末機。
（項目６）
上記スピーカが、上記端末機本体の幅方向に所定間隔をおいて装着される一対で構成されることを特徴とする項目１に記載の携帯端末機。
（項目７）
上記アンテナは、上記端末機本体の幅方向に装着され、２つの開口部が形成され、そのうち、一方の上記開口部が一方の上記スピーカに連結され、他方の上記開口部が他方の上記スピーカに連結されることを特徴とする項目６に記載の携帯端末機。
（項目８）
端末機本体と、
上記端末機本体に開閉可能に装着されるディスプレイユニットと、
上記端末機本体に形成される装着部に内蔵されるスピーカ及びアンテナとを含み、
上記アンテナはその内部空間が上記スピーカの共鳴筒として使用されることを特徴とする携帯端末機。
（項目９）
上記装着部が上記端末機本体から上側方向に突出して形成されることを特徴とする項目８に記載の携帯端末機。
（項目１０）
上記装着部の上面に、上記スピーカから発生した音が放出される複数の音放出孔が形成されることを特徴とする項目９に記載の携帯端末機。
（項目１１）
上記スピーカの後面に上記アンテナが装着され、上記スピーカの後面と上記アンテナの内部空間とが連通することを特徴とする項目８に記載の携帯端末機。
（項目１２）
上記アンテナは、内部に空間を有する筒状に形成され、その一側に開口部が形成されることを特徴とする項目８に記載の携帯端末機。
（項目１３）
上記スピーカがプリント基板の上面に装着され、上記アンテナが上記プリント基板の下面に装着され、上記プリント基板に上記スピーカの後面と上記アンテナの内部空間とを連通させる通路が形成されることを特徴とする項目８に記載の携帯端末機。
（項目１４）
上記通路が、上記プリント基板に複数貫通形成されて、上記スピーカの後面と上記アンテナの内部空間とを連結することを特徴とする項目１３に記載の携帯端末機。
（項目１５）
上記スピーカが、上記端末機本体の幅方向に所定間隔をおいて装着される一対で構成されることを特徴とする項目８に記載の携帯端末機。
（項目１６）
上記アンテナは、上記端末機本体の幅方向に装着され、２つの開口部が形成され、そのうち、一方の上記開口部が一方の上記スピーカに連結され、他方の上記開口部が他方の上記スピーカに連結されることを特徴とする項目１５に記載の携帯端末機。
【発明の効果】
【００１７】
本発明による携帯端末機は、アンテナに内部空間を形成し、その内部空間をスピーカの共鳴筒として使用することにより、端末機をスリム化すると共にスピーカの音質を向上できるという効果がある。
【発明を実施するための最良の形態】
【００１８】
以下、添付の図面を参照して本発明による携帯端末機の好ましい実施形態を説明する。
【００１９】
図１は本発明の第１実施形態による携帯端末機の閉じた状態を示す斜視図であり、図２は本発明の第１実施形態による携帯端末機の開いた状態を示す斜視図であり、図３は本発明の第１実施形態による携帯端末機の部分断面図である。
【００２０】
本発明の第１実施形態による携帯端末機は、各種情報を表示するメインディスプレイ１２が装着されるディスプレイユニット１０と、ディスプレイユニット１０に開閉可能に連結され、情報を入力するためのキーボタン２２及びバッテリ２４が装着される端末機本体２０と、端末機本体２０に装着されてサウンドを発生させるスピーカ３０と、端末機本体２０に装着されて周波数を送受信し、その内部空間がスピーカ３０の共鳴筒として使用されるアンテナ４０とから構成される。
【００２１】
ディスプレイユニット１０の表面には、端末機が閉じた状態で情報を表示するサブディスプレイ１４が設置され、ディスプレイユニット１０の裏面には、端末機の通話機能時に音声信号を出力するレシーバ１６が設置され、端末機本体２０にはマイク２６が装着される。
【００２２】
端末機本体２０には、スピーカ３０とアンテナ４０が装着される装着部５０が形成される。装着部５０は、端末機本体２０の下端に、端末機本体２０の厚さより厚く形成される。ディスプレイユニット１０は、端末機本体２０の長さより短く形成されて、装着部５０にはディスプレイユニット１０が覆われない。
【００２３】
装着部５０の上面は所定角度を有する傾斜面からなり、前記傾斜面には、装着部５０に内蔵されるスピーカ３０から発生した音が外部に放出される複数の音放出孔３２が形成される。
【００２４】
スピーカ３０は、装着部５０の内部に端末機本体２０の幅方向に所定間隔をおいて装着される一対で構成される。
【００２５】
また、アンテナ４０は、図３及び図４に示すように、スピーカ３０の後面に配置され、その内部にスピーカ３０の共鳴筒の役割を果たす内部空間４２を有する筒状に形成され、その一側にはスピーカ３０の後面と連結される開口部４４、４６が形成される。
【００２６】
ここで、開口部４４、４６は、一対のスピーカ３０のうち、いずれか一方のスピーカ３０の後面と連結される第１開口部４４と、他方のスピーカ３０と連結される第２開口部４６とから構成される。
【００２７】
スピーカ３０とアンテナ４０との間には、プリント基板５２が配置される。すなわち、プリント基板５２の上面にはスピーカ３０が設置され、プリント基板５２の下面にはアンテナ４０が設置される。また、プリント基板５２には、図５に示すように、スピーカ３０の後面とアンテナ４０の開口部４４、４６とを連結させる通路５４が複数貫通形成される。
【００２８】
アンテナ４０は、プリント基板５２にフィード端子及びグランド端子により接続され、プリント基板５２と信号をやり取りする。
【００２９】
このように、本発明による携帯端末機は、端末機本体の下端にその端末機本体の厚さより厚い装着部を形成し、その装着部の内部にスピーカとアンテナを設置する。また、アンテナに内部空間を形成し、その内部空間をスピーカの後面と連結してスピーカから放出される音量に共鳴効果を与える共鳴筒として使用するため、端末機の厚さを増加させずにスピーカの音質を向上させることができる。
【００３０】
図６は本発明の第２実施形態による携帯端末機の断面図である。
【００３１】
本発明の第２実施形態による携帯端末機は、端末機本体１０の下端に装着部５０を形成し、装着部５０内にスピーカ６０とアンテナ７０を設置し、スピーカ６０の後面にアンテナ７０を直接接触させてスピーカ６０の後面とアンテナ７０の開口部７２とを連結させることにより、アンテナ７０の内部空間７４をスピーカ６０の共鳴筒として使用する構造を有する。
【００３２】
すなわち、本発明の第２実施形態による携帯端末機は、アンテナ７０とスピーカ６０とが直接接触するように配置されるため、端末機をさらに薄く形成できる。
【００３３】
また、スピーカ６０とアンテナ７０は、プリント基板５２に接続線６２、７６によりそれぞれ電気的に接続される。
【００３４】
本発明の第２実施形態によるアンテナは、前述した第１実施形態のアンテナの構造と同一であるので、その説明を省略する。
【００３５】
以上の実施形態においては、折り畳みタイプの携帯端末機を例に挙げて説明したが、本発明は、これに限定されるものではなく、ストレートタイプ、スライドタイプ、回転タイプなど、いずれのタイプの携帯端末機にも適用可能である。
【００３６】
本発明の課題は、アンテナの内部空間をスピーカの共鳴筒として使用することにより、端末機をスリム化すると共にスピーカの音質を向上できる携帯端末機を提供することである。
【００３７】
上記課題を解決するために、携帯端末機は、端末機本体と、端末機本体の内部に装着されてサウンドを発生させるスピーカと、端末機本体の内部に装着されて信号を送受信し、その内部空間がスピーカの共鳴筒として使用されるアンテナとを含む。
【００３８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００３９】
【図１】本発明の第１実施形態による携帯端末機の閉じた状態を示す斜視図である。
【図２】本発明の第１実施形態による携帯端末機の開いた状態を示す斜視図である。
【図３】本発明の第１実施形態による携帯端末機の部分断面図である。
【図４】本発明の第１実施形態によるアンテナの斜視図である。
【図５】本発明の第１実施形態によるプリント基板の正面図である。
【図６】本発明の第２実施形態による携帯端末機の断面図である。
【図７】従来の携帯端末機の斜視図である。
【図８】従来の携帯端末機の分解斜視図である。
【符号の説明】
【００４０】
１０        ディスプレイユニット
２０        端末機本体
３０、６０  スピーカ
３２        音放出孔
４０、７０  アンテナ
４２、７４  内部空間
４４、４６、７２  開口部
５０        装着部
５２        プリント基板
５４        通路
【図１】
0005140253.tif 000002
【図２】
0005140253.tif 000003
【図３】
0005140253.tif 000004
【図４】
0005140253.tif 000005
【図５】
0005140253.tif 000006
【図６】
0005140253.tif 000007
【図７】
0005140253.tif 000008
【図８】
0005140253.tif 000009